(57)【要約】【課題】  蓋体の天面が膨出状をなす容器において、部品点数を削減してコスト低減すること。【解決手段】  容器本体１０の開口部１０Ａに蓋体２０を着脱可能にする容器１において、蓋体２０が、容器本体１０の開口部１０Ａに被着される外枠２１と、外枠２１の枠内から枠外に膨出する膨出部２２Ａを備えるとともに、該膨出部２２Ａの外周に設けられて外枠２１の枠内における該外枠２１の上部係止部２１Ａの下側に挿入され、該外枠２１の枠内に取着される外縁部２２Ｂを備える天面部材２２とを有するもの。【選択図】  図２
2010179938.tif 000002
【特許請求の範囲】
【請求項１】
容器本体の開口部に蓋体を着脱可能にする容器において、
蓋体が、
容器本体の開口部に被着される外枠と、
外枠の枠内から枠外に膨出する膨出部を備えるとともに、該膨出部の外周に設けられて外枠の枠内における該外枠の上部係止部の下側に挿入され、該外枠の枠内に取着される外縁部を備える天面部材とを有することを特徴とする容器。
【請求項２】
前記天面部材の外縁部が外筒部と、該外筒部の下端から外方に張り出る環状リップ部とを有し、
天面部材の外筒部と外枠の枠内とが接着剤により接着される請求項１に記載の容器。
【請求項３】
前記天面部材の外縁部が膨出部の外周に垂れ下がる内筒部と、該内筒部の外側の外筒部と、内筒部の下端と外筒部の上端の間でそれらの内筒部と外筒部をつなぐ環状平面部と、外筒部の下端から外方に張り出る環状リップ部とを有し、
天面部材の外筒部と外枠の枠内とが接着剤により接着され、天面部材の環状平面部と外枠の上部係止部とが接着剤により接着される請求項１に記載の容器。
【請求項４】
前記天面部材の外縁部が外筒部を有し、
天面部材の外筒部が外枠の上部支持部にかしめ止めされる請求項１に記載の容器。
【請求項５】
前記天面部材の膨出部の周囲に嵌合され、該天面部材の外縁部の上に配置される環状板を有し、
環状板は外枠の枠内に挿入され、該外枠の上部係止部と、天面部材の外縁部との間に挟み込まれる請求項１に記載の容器。
【請求項６】
前記天面部材の外縁部が膨出部の外周に垂れ下がる内筒部と、該内筒部の外側の外筒部と、内筒部の下端と外筒部の上端の間でそれらの内筒部と外筒部をつなぐ環状平面部と、外筒部の下端から外方に張り出る環状リップ部とを有し、
天面部材の環状平面部の上に環状板を配置し、天面部材の外筒部と外枠の枠内とが接着剤により接着され、環状板と外枠の上部係止部とが接着剤により接着される請求項５に記載の容器。
【請求項７】
前記天面部材の外縁部が外筒部と、該外筒部の内側の内筒部と、外筒部の上端と内筒部の下端の間でそれらの外筒部と内筒部をつなぐ環状平面部とからなり、
天面部材の環状平面部上に環状板を配置し、天面部材の外筒部が外枠の上部支持部にかしめ止めされる請求項５に記載の容器。
【発明の詳細な説明】
【技術分野】
【０００１】
本発明は容器に関する。
【背景技術】
【０００２】
本出願人は、外観性の良い容器として、特許文献１に記載の如く、容器本体の開口部に蓋体を着脱可能にする容器において、蓋体の天面が容器本体の側から外方に向けて膨出状をなす膨出部を備えてなるものを提案している。この容器では、蓋体が、容器本体の開口部に被着される外枠と、外枠の枠内に係入されて外枠の上部係止部に係止される受板と、外枠の枠内における受板の下側に係入される外縁部を備えるとともに、外枠の枠内から枠外に膨出する膨出部を備える天面部材と、外枠の枠内に係着されて受板との間に、天面部材の外縁部を挟持する押え板とを有するものとしている。
【先行技術文献】
【特許文献】
【０００３】
【特許文献１】実登録3138492
【発明の概要】
【発明が解決しようとする課題】
【０００４】
特許文献１に記載の容器の蓋体では、外枠に天面部材を固定化するため、押え板と受板を備えることを必要とし、以下の不都合がある。
【０００５】
(1)蓋体が外枠と天面部材だけでなく、押え板と受板を必要部材としているから、部品点数が多く、コスト高になる。
【０００６】
(2)押え板は、外枠の枠内に軽圧入する等により係着されて受板との間に、天面部材の外縁部を挟持するドーナツ板状、又は孔なし板状をなす。ドーナツ板状の押え板を用いる場合には、容器の内容物を視認しようとして天面部材を透明化したときに、押え板の孔打ち抜き面が蓋体の外観に表われて美観を損なう。孔なし板状の押え板を用いる場合には、天面部材を透明化しても容器の内容物を視認できない。
【０００７】
本発明の課題は、蓋体の天面が膨出状をなす容器において、部品点数を削減してコスト低減することにある。
【０００８】
本発明の他の課題は、蓋体を容器本体に装填したまま、容器の内容物を視認可能にしながら、蓋体の外観性を向上することにある。
【課題を解決するための手段】
【０００９】
請求項１の発明は、容器本体の開口部に蓋体を着脱可能にする容器において、蓋体が、容器本体の開口部に被着される外枠と、外枠の枠内から枠外に膨出する膨出部を備えるとともに、該膨出部の外周に設けられて外枠の枠内における該外枠の上部係止部の下側に挿入され、該外枠の枠内に取着される外縁部を備える天面部材とを有するようにしたものである。
【００１０】
請求項２の発明は、請求項１の発明において更に、前記天面部材の外縁部が外筒部と、該外筒部の下端から外方に張り出る環状リップ部とを有し、天面部材の外筒部と外枠の枠内とが接着剤により接着されるようにしたものである。
【００１１】
請求項３の発明は、請求項１の発明において更に、前記天面部材の外縁部が膨出部の外周に垂れ下がる内筒部と、該内筒部の外側の外筒部と、内筒部の下端と外筒部の上端の間でそれらの内筒部と外筒部をつなぐ環状平面部と、外筒部の下端から外方に張り出る環状リップ部とを有し、天面部材の外筒部と外枠の枠内とが接着剤により接着され、天面部材の環状平面部と外枠の上部係止部とが接着剤により接着されるようにしたものである。
【００１２】
請求項４の発明は、請求項１の発明において更に、前記天面部材の外縁部が外筒部を有し、天面部材の外筒部が外枠の上部支持部にかしめ止めされるようにしたものである。
【００１３】
請求項５の発明は、請求項１の発明において更に、前記天面部材の膨出部の周囲に嵌合され、該天面部材の外縁部の上に配置される環状板を有し、環状板は外枠の枠内に挿入され、該外枠の上部係止部と、天面部材の外縁部との間に挟み込まれるようにしたものである。
【００１４】
請求項６の発明は、請求項５の発明において更に、前記天面部材の外縁部が膨出部の外周に垂れ下がる内筒部と、該内筒部の外側の外筒部と、内筒部の下端と外筒部の上端の間でそれらの内筒部と外筒部をつなぐ環状平面部と、外筒部の下端から外方に張り出る環状リップ部とを有し、天面部材の環状平面部の上に環状板を配置し、天面部材の外筒部と外枠の枠内とが接着剤により接着され、環状板と外枠の上部係止部とが接着剤により接着されるようにしたものである。
【００１５】
請求項７の発明は、請求項５の発明において更に、前記天面部材の外縁部が外筒部と、該外筒部の内側の内筒部と、外筒部の上端と内筒部の下端の間でそれらの外筒部と内筒部をつなぐ環状平面部とからなり、天面部材の環状平面部上に環状板を配置し、天面部材の外筒部が外枠の上部支持部にかしめ止めされるようにしたものである。
【発明の効果】
【００１６】
（請求項１）
(a)蓋体を構成する天面部材が外枠の枠内から枠外に膨出する膨出部を備える。膨出部の形態として、山等の自然物、動物等の形態を採用することにより、容器の外観性を向上できる。膨出部を計量部として用いることもできる。
【００１７】
(b)蓋体が少なくとも外枠と天面部材からなり、天面部材を外枠に固定化するための押え板等を必要としないから、部品点数を削減してコスト低減できる。
【００１８】
(c)蓋体が天面部材の下側に押え板を必要としないから、透明化された天面部材を通して容器内空間を直に視認できる。蓋体を容器本体に装填したまま、容器の内容物を視認可能にしながら、透明化された天面部材の下側に押え板等が表われて蓋体の美観を損なうこともない。
【００１９】
（請求項２）
(d)蓋体において、天面部材の外筒部と外枠の枠内とが接着剤により接着される。このとき、天面部材の環状リップ部が接着剤の垂れ落ちを防止する。
【００２０】
（請求項３）
(e)蓋体において、天面部材の外筒部と外枠の枠内とが接着剤により接着され、天面部材の環状平面部と外枠の上部係止部とが接着剤により接着される。蓋体が外枠の枠内の上部に、天面部材の膨出部の外周に垂れ下がる内筒部と、内筒部の下端につながる環状平面部を有するから、天面部材の膨出部の立体感を増し、外観性を向上する。このとき、天面部材の環状リップ部が接着剤の垂れ落ちを防止する。
【００２１】
（請求項４）
(f)蓋体において、天面部材の外筒部が外枠の上部支持部にかしめ止めされる。
【００２２】
（請求項５）
(g)蓋体が、天面部材の膨出部の周囲に嵌合され、該天面部材の外縁部の上に配置される環状板を有し、環状板は外枠の枠内に挿入され、該外枠の上部係止部と、天面部材の外縁部との間に挟み込まれる。環状板が天面部材の膨出部の周囲に嵌合される状態で、外枠の枠内に挿入されて固定化され、天面部材の膨出部を補強する。また、環状板は天面部材の外縁部の上に配置され、天面部材の膨出部の外周見切り材となり、外観性を向上する。
【００２３】
（請求項６）
(h)蓋体において、天面部材の環状平面部の上に環状板を配置し、天面部材の外筒部と外枠の枠内とが接着剤により接着され、環状板と外枠の上部係止部とが接着剤により接着される。蓋体が外枠の枠内の上部に、天面部材の膨出部の外周に垂れ下がる内筒部と、内筒部の下端につながる環状平面部の上に配置された環状板を有するから、天面部材の膨出部の立体感を増し、外観性を向上する。このとき、天面部材の環状リップ部が接着剤の垂れ落ちを防止する。
【００２４】
（請求項７）
(i)蓋体において、天面部材の環状平面部上に環状板を配置し、天面部材の外筒部が外枠の上部支持部にかしめ止めされる。
【図面の簡単な説明】
【００２５】
【図１】図１は実施例１の容器を示す斜視図である。
【図２】図２は容器を示す断面図である。
【図３】図３は蓋体の構成部品を示す分解図である。
【図４】図４は実施例２の容器を示す断面図である。
【図５】図５は実施例３の容器を示す断面図である。
【図６】図６は実施例４の容器を示す断面図である。
【図７】図７は実施例５の容器を示す断面図である。
【発明を実施するための形態】
【００２６】
（実施例１）（図１〜図３）
図１、図２に示した容器１は、容器本体１０の開口部１０Ａに蓋体２０を着脱可能にしたものである。
【００２７】
容器本体１０は、図２に示す如く、紙製筒状体１１の上端にカール状の上部係止部１１Ａを設け、筒状体１１の下端にカール状の下部係止部１１Ｂを設け、下部係止部１１Ｂの上に紙製底板１２を落とし込んで取着したものである。筒状体１１と底板１２は、紙に限らず、プラスチック、金属からなるものでも良い。
【００２８】
筒状体１１に対する底板１２の取着構造は、底板１２を筒状体１１の筒内面に軽圧入する、底板１２を筒状体１１の筒内面又は下部係止部１１Ｂに接着する、底板１２を下部係止部１１Ｂにかしめ止めする等を採用できる。
【００２９】
蓋体２０は、図２に示す如く、容器本体１０に被着した状態で、容器本体１０の側から外方に向けてドーム状等の膨出状をなす膨出部２２Ａを天面に備える。
【００３０】
蓋体２０は、図２、図３に示す如く、外枠２１と天面部材２２と環状板２３の組立体である。外枠２１は、紙からなり、容器本体１０の開口部１０Ａの外周に被着される筒状をなし、カール状の上部係止部２１Ａを上端に設けてある。天面部材２２は、プラスチックからなり、外枠２１の枠内から枠外に膨出する膨出部２２Ａを備えるとともに、膨出部２２Ａの外周に設けられて外枠２１の枠内における該外枠２１の上部係止部２１Ａの下側に挿入され、該外枠２１の枠内に取着される外縁部２２Ｂを備える。環状板２３は、紙からなり、天面部材２２の膨出部２２Ａの周囲（外縁部２２Ｂの後述する内筒部２２Ｃの外周）に嵌合され、天面部材２２の外縁部２２Ｂの上に配置される。環状板２３は、外枠２１の枠内に挿入され、外枠２１の上部係止部２１Ａと、天面部材２２の外縁部２２Ｂとの間に挟み込まれる。外枠２１と環状板２３は、紙に限らず、プラスチック、金属からなるものでも良い。天面部材２２は、プラスチックに限らず、紙、金属からなるものでも良い。
【００３１】
蓋体２０において、外枠２１と天面部材２２と環状板２３の取着構造は以下の如くである。このとき、天面部材２２の外縁部２２Ｂは、膨出部２２Ａの外周に垂れ下がる内筒部２２Ｃと、内筒部２２Ｃの外側の外筒部２２Ｄと、内筒部２２Ｃの下端と外筒部２２Ｄの上端の間でそれらの内筒部２２Ｃと外筒部２２Ｄをつなぐ環状平面部２２Ｅと、外筒部２２Ｄの下端から外方に張り出る環状リップ部２２Ｆを有するものとする。そして、天面部材２２の環状平面部２２Ｅの上に環状板２３を配置し、天面部材２２の環状平面部２２Ｅと環状板２３の下面とが接着剤２４Ａにより接着され、天面部材２２の外筒部２２Ｄと外枠２１の枠内面とが接着剤２４Ｂにより接着され、環状板２３の上面と外枠２１の上部係止部２１Ａの下面とが接着剤２４Ｃにより接着される。環状リップ部２２Ｆは接着剤２４Ｂ等が外枠２１の枠内面に垂れ落ちることを防止する。
【００３２】
尚、蓋体２０にあっては、天面部材２２と環状板２３を外枠２１の枠内面に軽圧入することにより、それらの天面部材２２と環状板２３を外枠２１に取着することもでき、その場合には、上述の接着剤２４Ａ、２４Ｂ、２４Ｃの少なくとも１つを省くことができる。天面部材２２の外縁部２２Ｂを外枠２１の上部係止部２１Ａのカール部にかしめ止めすることもできる。
【００３３】
蓋体２０は、外枠２１と天面部材２２と環状板２２を互いに軽圧入する等により分離可能に組立てるとき、各種形態の膨出部２２Ａを備える天面部材２２を交換組込みできる。天面部材２２の膨出部２２Ａは、山等の自然物、動物等の形態を採用できる。天面部材２２の膨出部２２Ａは、計量部としても利用できる。天面部材２２の膨出部２２Ａを計量部とするとき、膨出部２２Ａには計量目盛線を付すこともできる。
【００３４】
蓋体２０は、天面部材２２を透明プラスチック体にて形成することもできる。蓋体２０の外側から容器本体１０の内容物を視認できる。このとき、環状板２３に外枠２１と同一の着色を付すことにより、蓋体２０の美観を向上できる。
【００３５】
本実施例の容器１によれば以下の作用効果を奏する。
(a)蓋体２０を構成する天面部材２２が外枠２１の枠内から枠外に膨出する膨出部２２Ａを備える。膨出部２２Ａの形態として、山等の自然物、動物等の形態を採用することにより、容器１の外観性を向上できる。膨出部２２Ａを計量部として用いることもできる。
【００３６】
(b)蓋体２０が少なくとも外枠２１と天面部材２２からなり、天面部材２２を外枠２１に固定化するための押え板等を必要としないから、部品点数を削減してコスト低減できる。
【００３７】
(c)蓋体２０が天面部材２２の下側に押え板を必要としないから、透明化された天面部材２２を通して容器１内空間を直に視認できる。蓋体２０を容器本体１０に装填したまま、容器１の内容物を視認可能にしながら、透明化された天面部材２２の下側に押え板等が表われて蓋体２０の美観を損なうこともない。
【００３８】
(d)蓋体２０が、天面部材２２の膨出部２２Ａの周囲に嵌合され、該天面部材２２の外縁部２２Ｂの上に配置される環状板２３を有し、環状板２３は外枠２１の枠内に挿入され、該外枠２１の上部係止部２１Ａと、天面部材２２の外縁部２２Ｂとの間に挟み込まれる。環状板２３が天面部材２２の膨出部２２Ａの周囲に嵌合される状態で、外枠２１の枠内に挿入されて固定化され、天面部材２２の膨出部２２Ａを補強する。また、環状板２３は天面部材２２の外縁部２２Ｂの上に配置され、天面部材２２の膨出部２２Ａの外周見切り材となり、外観性を向上する。
【００３９】
(e)蓋体２０において、天面部材２２の環状平面部２２Ｅの上に環状板２３を配置し、天面部材２２の外筒部２２Ｄと外枠２１の枠内とが接着剤２４Ｂにより接着され、環状板２３と外枠２１の上部係止部２１Ａとが接着剤２４Ｃにより接着される。蓋体２０が外枠２１の枠内の上部に、天面部材２２の膨出部２２Ａの外周に垂れ下がる内筒部２２Ｃと、内筒部２２Ｃの下端につながる環状平面部２２Ｅの上に配置された環状板２３を有するから、天面部材２２の膨出部２２Ａの立体感を増し、外観性を向上する。このとき、天面部材２２の環状リップ部２２Ｆが接着剤２４Ｂ等の垂れ落ちを防止する。
【００４０】
（実施例２）（図４）
図４に示した容器２が容器１と異なる点は、容器本体１０の構成にある。容器２の容器本体１０は、筒状体１１の下部係止部１１Ｂの上に短尺筒状体１３を介して底板１２を載置して取着し、上げ底化したものである。
【００４１】
（実施例３）（図５）
図５に示した容器３が容器１と異なる点は、蓋体２０の構成にある。容器３の蓋体２０は、外枠２１と天面部材２２の組立体とし、環状板２３を省いたものである。外枠２１と天面部材２２の取着構造として、天面部材２２の外筒部２２Ｄと外枠２１の枠内面とが接着剤２４Ｂにより接着され、天面部材２２の環状平面部２２Ｅの上面と外枠２１の上部係止部２１Ａの下面とが接着剤２４Ｃにより接着される。
【００４２】
尚、容器３の蓋体２０にあっては、天面部材２２を外枠２１の枠内面に軽圧入することにより、天面部材２２を外枠２１に取着することもでき、その場合には、上述の接着剤２４Ｂ、２４Ｃの少なくとも１つを省くことができる。天面部材２２の外縁部２２Ｂを外枠２１の上部係止部２１Ａのカール部にかしめ止めすることもできる。
【００４３】
容器３の蓋体２０は、容器２の蓋体２０と同様に天面部材２２を透明プラスチック体にて形成できる。このとき、天面部材２２の外縁部２２Ｂ、特に環状平面部２２Ｅに外枠２１と同一の着色を付すことにより、蓋体２０の美観を向上できる。
【００４４】
従って、本実施例の容器３によれば、容器１におけると同様の作用効果を奏する。
【００４５】
（実施例４）（図６）
図６に示した容器１０１は、容器本体１１０の開口部１１０Ａに蓋体１２０を着脱可能にしたものである。
【００４６】
容器本体１１０は、ブリキ等の金属製筒状体１１１の上端にカール状の上部係止部１１１Ａを設け、筒状体１１１の下端にカール状の下部係止部１１１Ｂを設け、下部係止部１１１Ｂのカール部にブリキ等の金属製底板１１２をかしめ止めしたものである。
【００４７】
蓋体１２０は、容器本体１１０に被着した状態で、容器本体１１０の側から外方に向けてドーム状等の膨出状をなす膨出部１２２Ａを天面に備える。
【００４８】
蓋体１２０は、外枠１２１と天面部材１２２と環状板１２３の組立体である。外枠１２１は、ブリキ等の金属からなり、容器本体１１０の開口部１１０Ａの外周に被着される筒状をなし、カール状の上部係止部１２１Ａを上端に設けてある。天面部材１２２は、プラスチックからなり、外枠１２１の枠内から枠外に膨出する膨出部１２２Ａを備えるとともに、膨出部１２２Ａの外周に設けられて外枠１２１の枠内における該外枠１２１の上部係止部１２１Ａの下側に挿入され、該外枠１２１の枠内に取着される外縁部１２２Ｂを備える。環状板１２３は、ブリキ等の金属からなり、天面部材１２２の膨出部１２２Ａの周囲（外縁部１２２Ｂの内筒部１２２Ｃの外周）に嵌合され、天面部材１２２の外縁部１２２Ｂの上に配置される。環状板１２３は、外枠１２１の枠内に挿入され、外枠１２１の上部係止部１２１Ａと、天面部材１２２の外縁部１２２Ｂとの間に挟み込まれる。天面部材１２２は、プラスチックに限らず、金属からなるものでも良い。
【００４９】
蓋体１２０において、外枠１２１と天面部材１２２と環状板１２３の取着構造は以下の如くである。このとき、天面部材１２２の外縁部１２２Ｂは、膨出部１２２Ａの外周に垂れ下がる内筒部１２２Ｃと、内筒部１２２Ｃの外側の被かしめ部１２２Ｄ（外筒部）と、内筒部１２２Ｃの下端と被かしめ部１２２Ｄの上端の間でそれらの内筒部１２２Ｃと被かしめ部１２２Ｄをつなぐ環状平面部１２２Ｅを有するものである。天面部材１２２の被かしめ部１２２Ｄが外枠１２１の上部係止部１２１Ａのカール部にかしめ止めされる。このとき、環状板１２３は外枠１２１の上部係止部１２１Ａにより天面部材１２２の環状平面部１２２Ｅに押えられて抜け止めされる。
【００５０】
蓋体１２０は、天面部材１２２の膨出部１２２Ａとして、山等の自然物、動物等の形態を採用できる。天面部材１２２の膨出部１２２Ａは、計量部としても利用できる。天面部材１２２の膨出部１２２Ａを計量部とするとき、膨出部１２２Ａには計量目盛線を付すこともできる。
【００５１】
蓋体１２０は、天面部材１２２を透明プラスチック体にて形成することもできる。蓋体１２０の外側から容器本体１１０の内容物を視認できる。このとき、環状板１２３に外枠１２１と同一の着色を付すことにより、蓋体１２０の美観を向上できる。
【００５２】
本実施例の容器１０１によれば以下の作用効果を奏する。
(a)蓋体１２０を構成する天面部材１２２が外枠１２１の枠内から枠外に膨出する膨出部１２２Ａを備える。膨出部１２２Ａの形態として、山等の自然物、動物等の形態を採用することにより、容器１０１の外観性を向上できる。膨出部１２２Ａを計量部として用いることもできる。
【００５３】
(b)蓋体１２０が少なくとも外枠１２１と天面部材１２２からなり、天面部材１２２を外枠１２１に固定化するための押え板等を必要としないから、部品点数を削減してコスト低減できる。
【００５４】
(c)蓋体１２０が天面部材１２２の下側に押え板を必要としないから、透明化された天面部材１２２を通して容器１０１内空間を直に視認できる。蓋体１２０を容器本体１１０に装填したまま、容器１０１の内容物を視認可能にしながら、透明化された天面部材１２２の下側に押え板等が表われて蓋体１２０の美観を損なうこともない。
【００５５】
(d)蓋体１２０が、天面部材１２２の膨出部１２２Ａの周囲に嵌合され、該天面部材１２２の外縁部１２２Ｂの上に配置される環状板１２３を有し、環状板１２３は外枠１２１の枠内に挿入され、該外枠１２１の上部係止部１２１Ａと、天面部材１２２の外縁部１２２Ｂとの間に挟み込まれる。環状板１２３が天面部材１２２の膨出部１２２Ａの周囲に嵌合される状態で、外枠１２１の枠内に挿入されて固定化され、天面部材１２２の膨出部１２２Ａを補強する。また、環状板１２３は天面部材１２２の外縁部１２２Ｂの上に配置され、天面部材１２２の膨出部１２２Ａの外周見切り材となり、外観性を向上する。
【００５６】
(e)蓋体１２０が外枠１２１の枠内の上部に、天面部材１２２の膨出部１２２Ａの外周に垂れ下がる内筒部１２２Ｃと、内筒部１２２Ｃの下端につながる環状平面部１２２Ｅの上に配置された環状板１２３を有するから、天面部材１２２の膨出部１２２Ａの立体感を増し、外観性を向上する。
【００５７】
(f)蓋体１２０において、天面部材１２２の環状平面部１２２Ｅ上に環状板１２３を配置し、天面部材１２２の被かしめ部１２２Ｄ（外筒部）が外枠１２１の上部支持部にかしめ止めされる。
【００５８】
（実施例５）（図７）
図７に示した容器１０２が容器１０１と異なる点は、蓋体１２０の構成にある。容器１０２の蓋体１２０は、外枠１２１をブリキ等の金属により、天面部１２１Ｂと筒部１２１Ｃからなる有天筒状体とし、外枠１２１の天面部１２１Ｂの中央開口にカール状の上部係止部１２１Ａを設けたものである。蓋体１２０の上部係止部１２１Ａのカール部に天面部材１２２が取着される点は、容器１０１におけると同様である。
【００５９】
従って、本実施例の容器１０２によれば、容器１０１におけると同様の作用効果を奏する。
尚、容器１０１、１０２にあっては、外枠１２１と天面部材１２２の組立体とし、環状板１２３を省くこともできる。そして、天面部材１２２を透明プラスチック体にて形成するとき、天面部材１２２の外縁部１２２Ｂ、特に環状平面部１２２Ｅに外枠１２１と同一の着色を付すことにより、蓋体１２０の美観を向上できる。
【００６０】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００６１】
本発明は、蓋体の天面が膨出状をなす容器において、部品点数を削減してコスト低減することができる。また、本発明は、蓋体を容器本体に装填したまま、容器の内容物を視認可能にしながら、蓋体の外観性を向上することができる。
【符号の説明】
【００６２】
１、２、３、１０１、１０２  容器
１０、１１０  容器本体
１０Ａ、１１０Ａ  開口部
２０、１２０  蓋体
２１、１２１  外枠
２１Ａ、１２１Ａ  上部係止部
２２、１２２  天面部材
２２Ａ、１２２Ａ  膨出部
２２Ｂ、１２２Ｂ  外縁部
２２Ｃ、１２２Ｃ  内筒部
２２Ｄ、１２２Ｄ  外筒部（被かしめ部）
２２Ｅ、１２２Ｅ  環状平面部
２２Ｆ  環状リップ部
２３、１２３  環状板
２４Ａ、２４Ｂ、２４Ｃ  接着剤
【図１】
2010179938.tif 000003
【図２】
2010179938.tif 000004
【図３】
2010179938.tif 000005
【図４】
2010179938.tif 000006
【図５】
2010179938.tif 000007
【図６】
2010179938.tif 000008
【図７】
2010179938.tif 000009